(57)【要約】      （修正有）【課題】犬などのペットや人から排泄される糞便や嘔吐物など軟らかい排泄物を簡便に処理できる排泄物処理ツールである排泄物用凍結スプレーを提供する。【解決手段】本考案の排泄物用凍結スプレー１は、スプレー容器２と、該容器に収納された圧縮ＬＰガス４とから成り、糞便又は嘔吐物を含む排泄物を凍結させて処理するためのものである。圧縮ＬＰガス４には、香気成分６が混入されたことでもよいし、消臭成分５が混入されたことでもよい。また、圧縮ＬＰガス４には、抗菌成分７が混入されたことでもよい。【選択図】図１
0003214049.tif 000002
【実用新案登録請求の範囲】
【請求項１】
スプレー容器と、該容器に収納された圧縮ＬＰ（Liquefied Petroleum）ガスとから成り、糞便又は嘔吐物を含む排泄物を凍結させて処理するための排泄物用凍結スプレー。
【請求項２】
前記圧縮ＬＰガスに香気成分が混入されたことを特徴とする請求項１に記載の排泄物用凍結スプレー。
【請求項３】
前記圧縮ＬＰガスに消臭成分が混入されたことを特徴とする請求項１又は２に記載の排泄物用凍結スプレー。
【請求項４】
前記圧縮ＬＰガスに抗菌成分が混入されたことを特徴とする請求項１〜３の何れかに記載の排泄物用凍結スプレー。
【考案の詳細な説明】
【技術分野】
【０００１】
本考案は、犬や猫などの糞便や人の嘔吐物などの排泄物を処理するための技術に関するものである。
【背景技術】
【０００２】
一般に、犬や猫などのペットを散歩させるときに、ペットの糞便を飼い主が処理することは、飼い主のモラルとされている。しかしながら、ペットの糞便は、その硬さの程度が区々であり、軟らかい場合には、トングなどで摘んで袋に入れる処理が難しいこともある。
【０００３】
そこで、硬化剤と消臭剤とよりなるペット用消臭及び糞固め剤が知られている（特許文献１を参照）。これは、硫酸カルシュウムに可溶性塩類を混合した硬化剤を用いることにより、軟らかい糞便を固化するものである。また、粉末状無機吸水剤を併用する構成も示されており、犬や猫等のペットの軟らかい糞であっても固めて処理できる。
しかしながら、特許文献１に開示されたペット用消臭及び糞固め剤は、袋体に入った薬剤を糞便に散布して使用するところ、的確な箇所への散布は難しく、散布の仕方によって硬化の程度にムラが発生してしまうという問題がある。
【先行技術文献】
【特許文献】
【０００４】
【特許文献１】特開平１１−２７６００４号公報
【考案の概要】
【考案が解決しようとする課題】
【０００５】
ペットの糞便の処理は、手間がかかり、また毎日必要となるものであることから、犬等のペットの飼い主にとって、簡易に糞便を処理できるツールが要望されている。また、高齢者や患者など介護を必要とする被介護者や乳幼児による糞便や嘔吐物の処理も、介護者や保護者にとっては面倒な処理となっている。
上記状況に鑑みて、本考案は、犬などのペットや人から排泄される糞便や嘔吐物など軟らかい排泄物を簡便に処理できる排泄物処理ツールを提供することを目的とする。
【課題を解決するための手段】
【０００６】
上記目的を達成すべく、本考案の排泄物用凍結スプレーは、スプレー容器と、該容器に収納された圧縮ＬＰ（Liquefied Petroleum）ガスとから成り、糞便又は嘔吐物を含む排泄物を凍結させて処理するためのものである。
ここで、ＬＰガスとは、プロパン、ブタンなどのことである。プロパンは、沸点が−４２．０９℃であるため、圧縮して容器に備えられた液化プロパンは、容器から噴射されると瞬時に気化する。その際の気化熱によりガスの温度が下がるため、噴霧対象物を急速に凍結させることが可能な構造となっている。ブタンも、沸点が −０．５℃であるため、常温環境下ではプロパンと同様の効果を有する。
【０００７】
例えば、地面や床に、糞便や嘔吐物など排泄物が放置されている場合、放置された排泄物に対して、排泄物の周囲に圧縮ＬＰガスを噴霧して、排泄物の中の水分を凍結させ、糞便や嘔吐物などを固めるのである。対象となる排泄物が軟らかい場合には、噴霧時間を長くすることによって、凍結の程度を調節することができる。
圧縮ＬＰガスの噴霧は、排泄物全体が凍結するまで行ってもよいが、排泄物の表面がある程度凍結すれば、手袋をはめた手で把持して処理することも可能であるから、凍結後の処理方法に応じて、凍結の程度を調整することができる。
なお、排泄物は、犬や猫といったペットによる糞便などに限られず、例えば、乳幼児や被介護者による糞便や嘔吐物などの排泄物も含まれる。また、排泄物は糞便や嘔吐物に限られず、その他、汗等の分泌物も含む意味で用いている。
【０００８】
本考案の排泄物用凍結スプレーにおいて、圧縮ＬＰガスに香気成分が混入されてもよい。圧縮ＬＰガスに香気成分が混入されることにより、圧縮ＬＰガスを排泄物に対して噴射した際に、排泄物を凍結して固めると同時に、排泄物の臭いを緩和するための芳香効果を発揮させることができる。
【０００９】
本考案の排泄物用凍結スプレーにおいて、圧縮ＬＰガスに消臭成分が混入されてもよい。圧縮ＬＰガスに消臭成分が混入されることにより、圧縮ＬＰガスを排泄物に対して噴射した際に、排泄物を凍結して固めると同時に、排泄物に対して消臭効果を発揮することができる。
【００１０】
本考案の排泄物用凍結スプレーにおいて、圧縮ＬＰガスに抗菌成分が混入されてもよい。圧縮ＬＰガスに抗菌成分が混入されることにより、排泄物をより衛生的に処理することが可能となる。
【考案の効果】
【００１１】
本考案によれば、犬などのペット、乳幼児や被介護者から排泄される糞便や嘔吐物などの排泄物を簡便に処理することのできるといった効果を有する。
【図面の簡単な説明】
【００１２】
【図１】排泄物用凍結スプレーのイメージ図
【図２】排泄物用凍結スプレーの使用説明図
【図３】表面凍結済み汚物のイメージ図
【図４】凍結済み汚物のイメージ図
【図５】凍結済み汚物の処理イメージ図
【図６】表面凍結済み汚物の処理イメージ図１
【図７】表面凍結済み汚物の処理イメージ図２
【考案を実施するための最良の形態】
【００１３】
以下、本考案の実施形態について、図面を参照しながら詳細に説明していく。なお、本考案の範囲は、以下の実施例や図示例に限定されるものではなく、幾多の変更及び変形が可能である。
【実施例１】
【００１４】
図１は、排泄物用凍結スプレーのイメージ図を示している。図１に示すように、排泄物用凍結スプレー１は、スプレー容器２及び凍結用ガス３から成る。
凍結用ガス３は、圧縮ＬＰガス４に、消臭成分５、香気成分６及び抗菌成分７が混入されたものである。圧縮ＬＰガス４に消臭成分５及び香気成分６が混入されることにより、凍結用ガス３を汚物に対して噴射した際に、汚物中の水分が凍結され固まると同時に、汚物に対して消臭・芳香効果を発揮することとなる。また、圧縮ＬＰガス４に抗菌成分７が混入されることにより、より衛生的な処理が可能となる。
【００１５】
図２〜４を参照しながら、排泄物用凍結スプレーの使用による汚物の凍結イメージについて説明する。
図２は、排泄物用凍結スプレーの使用説明図を示している。図３は、表面凍結済み汚物のイメージ図を示している。また、図４は、凍結済み汚物のイメージ図を示している。
【００１６】
図２に示すように、地面９の上には、汚物８が存在する。凍結処理前の汚物８は犬の糞便であり、水分を含んだ軟らかい糞便である。
汚物８に対して、排泄物用凍結スプレー１を用いて排泄物の凍結を行う。具体的には、スプレー容器２を把持した状態で、噴射ボタン２ａを押下することで、排泄物用凍結スプレー１から凍結用ガス３が噴射される。
【００１７】
図２に示すように、汚物８に対して凍結用ガス３の噴霧を行うと、汚物８の表面から凍結が始まり、汚物８は、図３に示すように、表面凍結済み汚物８０となる。表面凍結済み汚物８０は、表面は凍結部８ｂから成るが、内部や地面と当接している部分は非凍結部８ａから成る。したがって、表面凍結済み８０の強度は強くはなく、かかる状態で強い力で把持すると、凍結部８ｂが割れてしまう恐れがある。
【００１８】
そこで、図３に示した状態からさらに凍結用ガス３の噴霧を行うことで、図４に示すように、汚物全体を凍結することが可能である。
凍結済み汚物８１には非凍結部８ａはなく凍結部８ｂのみから成る。凍結済み汚物８１は、全体が凍結されているため、ある程度強い力で把持しても割れる恐れはない。
【００１９】
なお、凍結用ガス３に含まれる消臭成分５、香気成分６及び抗菌成分７は、凍結用ガス３が汚物８に噴霧されることにより汚物８に付着し、消臭効果、芳香効果、抗菌効果が得られることとなる。
【００２０】
次に、図５〜７を参照しながら、凍結後の汚物の処理イメージについて説明する。
図５は、凍結後の汚物の処理イメージ図を示している。また、図６及び７は、表面凍結済み汚物の処理イメージ図を示している。
【００２１】
図５に示すように、汚物の内部まで凍結がなされた汚物については、清掃トング１０により凍結済み汚物８１を把持して、廃棄用の容器１１に入れることが可能である。
【００２２】
これに対して、図３で示したような表面凍結済み汚物８０の場合には、表面は凍結されているが、内部は凍結されていないため、清掃トング１０のような器具で把持すると、凍結部８ｂが割れてしまう恐れがある。
そこで、表面凍結済み汚物８０を廃棄する場合には、手袋をはめた手で表面凍結済み汚物８０を摘んで廃棄することが好ましい。
【００２３】
例えば、図６及び７に示す汚物処理袋１２は、表面凍結済み汚物８０を処理するために好適である。
汚物処理袋１２は、水溶性紙製の第１の袋１３と、ポリエチレン製の第２の袋１４から成り、第２の袋１４には、手提げ部（１５ａ，１５ｂ）が設けられている。
汚物処理袋１２は、第１の袋１３の中に第２の袋１４が収容された状態で、開口縁１６から第２の袋１４の中に手１７を挿入して、第１の袋１３および第２の袋１４を介して表面凍結済み汚物８０を摘んで使用する。
手１７によって表面凍結済み汚物８０を摘むことができるため、摘む際の力を調整しやすく、表面凍結済み汚物８０が割れてしまうことを防止できる。
しかも、仮に表面凍結済み汚物８０の凍結部８ｂが割れて内部の非凍結部８ａが漏れ出てしまったとしても、吸水性のある第１の袋１３によって、吸収することが可能である。また、第２の袋１４はポリエチレンで形成されているので、非凍結部８ａの水分は第２の袋１４にまでは染み込まない構造となっており、衛生的な使用が可能である。
【００２４】
使用者は、手１７で、第１の袋１３および第２の袋１４を介して表面凍結済み汚物８０を摘んだ状態で、もう一方の手で第２の袋１４の手提げ部（１５ａ，１５ｂ）又は開口縁１６を把持して、手１７を抜き出すように第１の袋１３および第２の袋１４の表裏を反転させる。これにより、表面凍結済み汚物８０は汚物処理袋１２の内部に収容される。
【００２５】
図７に示すように、表面凍結済み汚物８０は汚物処理袋１２の内部に収容されている。また、結び目１８は手提げ部１５ａと手提げ部１５ｂを結ぶことによって形成されたものである。
すなわち、第１の袋１３および第２の袋１４の表裏を反転させた後、手提げ部１５ａと手提げ部１５ｂを結んで、糞便や、糞便から発生する悪臭が漏れないようにしている。前述したように、凍結用ガス３には、消臭成分５、香気成分６及び抗菌成分７が含まれているため、表面凍結済み汚物８０には、消臭効果、芳香効果、抗菌効果が発生しているが、手提げ部（１５ａ，１５ｂ）を結ぶことにより、より悪臭を低減し、かつ、より衛生的な処理が可能となる。
【００２６】
このように、排泄物用凍結スプレー１は汚物処理袋１２と併用することで、より利便性の高い排泄物処理用具として用いることが可能となる。
【産業上の利用可能性】
【００２７】
本考案は、犬、猫、ハトなどの糞の処理に有用である。また、乳幼児や被介護者の糞便や嘔吐物、さらには泥酔者の嘔吐物の処理にも有用である。
【符号の説明】
【００２８】
１  排泄物用凍結スプレー
２  スプレー容器
２ａ  噴射ボタン
３  凍結用ガス
４  圧縮ＬＰガス
５  消臭成分
６  香気成分
７  抗菌成分
８  汚物
８ａ  非凍結部
８ｂ  凍結部
９  地面
１０  清掃トング
１１  容器
１２  汚物処理袋
１３  第１の袋
１４  第２の袋
１５ａ，１５ｂ  手提げ部
１６  開口縁
１７  手
１８  結び目
８０  表面凍結済み汚物
８１  凍結済み汚物
【図１】
0003214049.tif 000003
【図２】
0003214049.tif 000004
【図３】
0003214049.tif 000005
【図４】
0003214049.tif 000006
【図５】
0003214049.tif 000007
【図６】
0003214049.tif 000008
【図７】
0003214049.tif 000009